(57)【要約】【課題】取付ネジが露出しないように、既設の壁面に容易に取り付けられる冷却装置を提供する。【解決手段】前面に第１環境となる外気用の外気吸気口５（第１吸気口）と外気吐出口６（第１吐出口）を設け、背面に第２環境となる内気用の内気吸気口７（第２吸気口）および内気吐出口８（第２吐出口）を設けた本体ケース４と、この本体ケース４内に設けられた外気送風機９（第１環境用送風装置）および内気送風機１０（第２環境用送風装置）と、本体ケース４内において外気と内気との熱交換を行う熱交換器１１とを備え、本体ケース４内側から貫通した複数の固定ボルト１２を本体ケース４の背面に突出させ、取付壁面（壁面２ａ）に設けたボルト貫通孔１３に固定ボルト１２を貫通して壁面に固定するものであるので、様々な厚さの壁に容易に取り付けられる。【選択図】図２
2012023115.tif 000002
【特許請求の範囲】
【請求項１】
前面に第１環境用の第１吸気口と第１吐出口を設け、背面に第２環境用の第２吸気口および第２吐出口を設けた本体ケースと、
この本体ケース内に設けられた第１環境用送風装置および第２環境用送風装置と、
前記本体ケース内において第１環境の空気と第２環境の空気との熱交換を行う熱交換器とを備え、
前記本体ケース内側から貫通した複数の固定ボルトを前記本体ケースの背面に突出させ、
取付壁面に設けたボルト貫通孔に前記固定ボルトを貫通して壁面に固定する冷却装置。
【請求項２】
前記本体ケースの背面内側にナットを固定し、
このナットに前記固定ボルトを通して前記本体ケースの背面に突出させる請求項１記載の冷却装置。
【請求項３】
前記固定ボルトの頭と前記本体ケースの背面との間に所定の距離を設けた請求項１または２記載の冷却装置。
【請求項４】
請求項１から３のいずれか一つに記載の冷却装置を搭載した電子機器。
【発明の詳細な説明】
【技術分野】
【０００１】
本発明は、例えば屋外に設置される電子機器に活用される冷却装置およびこれを組み込んだ電子機器に関するものである。
【背景技術】
【０００２】
例えば、携帯電話の基地局は、数十アンペア以上の電流が流れることから、ある点では発熱体とも表現される。つまり、発熱体でもある携帯電話の基地局を冷却することは、その動作を安定化させるためには極めて重要なものとなる。
【０００３】
このような基地局においては、近年の技術開発の結果、内部に収められた機器類を更新し、さらに発熱量が増加する傾向にある。また、通信量の増加に伴い、基地局内のスペースを有効に使いながら可能な限り多くの機器類を収納する傾向がある。
【０００４】
このような背景において、基地局内のスペースの妨げとならないように外壁面に冷却装置が取り付けられることが増えている。
【０００５】
そして、このような冷却装置を壁面に外付けするときには、壁面に取り付け用の固定具をあらかじめ固定し、その固定具に対して装置本体を引掛けたり、ネジ止めする方式をとっていた（例えば、特許文献１）。
【０００６】
また、他にも、冷却装置の取り付け面から外周側に張り出す取り付けフランジを設ける場合もあった。
【先行技術文献】
【特許文献】
【０００７】
【特許文献１】特開平７―２４３４１５号公報
【発明の概要】
【発明が解決しようとする課題】
【０００８】
しかしながら、この様な冷却装置の壁面取り付け構造においては、固定具を本体装置とは別に用意する必要があるという課題があった。また、引掛ける方式では、容易に取り外すことが可能な反面、簡単に盗難されるという恐れがあった。
【０００９】
また、本体にフランジを設けて外周側にネジ止め部分を設けても、外部から簡単に取り外しができるため、盗難が危惧されていた。
【００１０】
そこで、本発明は、既設の壁面に対して、外側から取り付けることができ、かつ、取り付け用のネジが露出せずに防犯対策ができるようにしたものである。
【課題を解決するための手段】
【００１１】
そして、この目的を達成するために、本発明の冷却装置は、
前面に第１環境用の第１吸気口と第１吐出口を設け、背面に第２環境用の第２吸気口および第２吐出口を設けた本体ケースと、
この本体ケース内に設けられた第１環境用送風装置および第２環境用送風装置と、
前記本体ケース内において第１環境の空気と第２環境の空気との熱交換を行う熱交換器とを備え、
前記本体ケース内側から貫通した複数の固定ボルトを前記本体ケースの背面に突出させ、
取付壁面に設けたボルト貫通孔に前記固定ボルトを貫通して壁面に固定するものであり、
これにより所期の目的を達成するものである。
【発明の効果】
【００１２】
以上のごとく本発明の冷却装置は、前面に第１環境用の第１吸気口と第１吐出口を設け、背面に第２環境用の第２吸気口および第２吐出口を設けた本体ケースと、
この本体ケース内に設けられた第１環境用送風装置および第２環境用送風装置と、
前記本体ケース内において第１環境の空気と第２環境の空気との熱交換を行う熱交換器とを備え、
前記本体ケース内側から貫通した複数の固定ボルトを前記本体ケースの背面に突出させ、
取付壁面に設けたボルト貫通孔に前記固定ボルトを貫通して壁面に固定するものであるので、様々な厚さの壁面に容易に取り付けられると共に、ネジが外側に露出しないので、盗難されにくいという効果を併せ持つことになる。
【図面の簡単な説明】
【００１３】
【図１】本発明の第１の実施の形態の電子機器の設置例を示す斜視図
【図２】同冷却装置の断面図
【図３】同要部の拡大断面図
【図４】同冷却装置のキャビネット内側から見た斜視図
【発明を実施するための形態】
【００１４】
以下、本実施の形態について図面を参照しながら説明する。
【００１５】
（実施の形態１）
図１において、携帯電話の基地局１は、内部に送・受信機（図示せず）を収納したものである。このような基地局１は、様々な場所に設置されている。基地局１は箱状のキャビネット２とこのキャビネット２内に設けた送・受信機とで構成されている。キャビネット２の一つの外壁面には、冷却装置３が取り付けられている。
【００１６】
図２を用いて、冷却装置３の概略構成を説明する。冷却装置３は、第１環境となる外気空気（以降、外気と呼ぶ）と第２環境となるキャビネット２内の空気（以降、内気と呼ぶ）とを吸い込む構成となっている。すなわち、冷却装置３は、本体ケース４に外気吸気口５と外気吐出口６およびキャビネット２内用の内気吸気口７および内気吐出口８を有する。冷却装置３内には、外気用の外気送風機９およびキャビネット２内用の内気送風機１０と、外気空気とキャビネット２内の空気との熱交換を行う熱交換器１１とを備えている。
【００１７】
このような構成により、冷却装置３は、熱交換器１１により送・受信機の冷却を行うことになる。すなわち、送・受信機は数十アンペア以上の電流が流れており、それに伴って高温化するものとなる。このような送・受信機の高温化を放置するとその特性が不安定になる。冷却装置３の運転を行うと、キャビネット２内の高温の空気は、内気送風機１０によって熱交換器１１を通って再びキャビネット２内に供給される。一方、内気と比べて低温の外気は、外気送風機９によって熱交換器１１を通って外気側に放出されることになる。熱交換器１１では、高温の内気と低温の外気との間で熱交換が行われることになり、内気は冷やされてキャビネット２内に供給され、キャビネット２内が冷却されることになる。このように、熱交換器１１によって外気との熱交換によりキャビネット２内の冷却を行い、これにより、送・受信機の不安定化を防止する構造となっている。
【００１８】
次に、本実施の形態における最も大きな特徴部分について説明する。
【００１９】
図２、図３に示すように、冷却装置３は、キャビネット２の壁面２ａの外側に取り付けられている。すなわち、本体ケース４の背面側には、複数の固定ボルト１２が設けられている。この固定ボルト１２は、本体ケース４内にその頭部分を位置させ、本体ケース４の背面側に固定したナット１６を通して、本体ケース４の背面から突出している。後に詳しく説明するが、固定ボルト１２の頭部分は、ナット１６に接している必要はなく、背面側に突出する固定ボルト１２の必要な長さに応じて位置を決めればよい。
【００２０】
さらに、本体ケース４内を詳細に説明する。本体ケース４には、前面側に化粧パネル１７が設けられている。また、内気送風機１０を設けた区画と化粧パネル１７との間には、遮蔽板１８が設けられ、内気送風機１０を設けた区画と、外気側とを完全に分離している。
【００２１】
一方、キャビネット２の壁面２ａには、固定ボルト１２を通すボルト貫通孔１３が、設けられている。このボルト貫通孔１３は、固定ボルト１２と同数設けられている。さらに、壁面２ａには、内気吸気口７、内気吐出口８それぞれに対応する開口（吸気口用開口１４、吐出口用開口１５）が設けられている。
【００２２】
このような構成において、この実施の形態による冷却装置３の取り付け方法について説明する。
【００２３】
上述のとおり、キャビネット２の取り付ける壁面２ａには、吸気口用開口１４、吐出口用開口１５、ボルト貫通孔１３が所定の位置に設けられている。冷却装置３側には、本体ケース４の背面から所定の長さの固定ボルト１２が突出している。この突出している長さは、少なくとも壁面２ａの壁の厚さ分に加えてナット分が必要である。この突出した固定ボルト１２を、壁面２ａに設けたボルト貫通孔１３に差し込む。そして、図４に示すように、キャビネット２の内側から固定ボルト１２にナットを螺合して固定するのである。
【００２４】
ここで、壁面２ａの厚さは、キャビネット２によって様々な厚さが想定される。すなわち、取り付ける壁面２ａによって、固定ボルト１２が本体ケース４の背面から突出する長さを変える必要があるのである。固定ボルト１２が本体ケース４の背面から突出する長さを変えるには、化粧パネル１７、遮蔽板１８を取り外して、固定ボルト１２の頭部分を回す。ねじ込むようにして突出する長さを長くしたり、逆に回して突出する長さを短くする。このように、最適な固定ボルト１２の突出長さを設定できるので、様々な壁厚の壁面に取り付けることができ、固定後の固定ボルト１２の突出量を小さくできる。すなわち、キャビネット２内に障害物となる固定ボルト１２の突出を小さくすることができるのである。
【００２５】
また、固定ボルト１２の頭は、本体ケース４内に位置することになるので、取り付けネジの頭を外部から確認できなくなる。そのため、簡単に取り外しができなくなり、盗難防止の効果を有することになる。
【００２６】
なお、以上の説明では、固定ボルト１２を予め壁面２ａの厚さ分突出させておくようにしたが、突出する長さを極力少なくした上で仮止めするようにしてもよい。すなわち、位置決めができる程度に本体ケース４の背面から突出した固定ボルト１２を、壁面２ａに設けたボルト貫通孔１３に引掛けるようにして通す。そして、化粧パネル１７、遮蔽板１８を外した状態で本体ケース４の中から固定ボルト１２の頭を回して壁の厚さ分だけねじ込んで壁面２ａの内側に固定ボルト１２の端部を突出させるのである。このように作業すれば、固定ボルト１２を長く突出させた場合と比べて比較的容易に位置決めが可能となる。さらには、壁面２ａの厚さがわからない場合でも仮止めした後に、固定ボルト１２を出していけばよいので、壁厚を測る必要がなくなる。
【００２７】
また、本体ケース４の背面内側には、ナット１６を固定する構成としたが、本体ケース４の背面に直接ネジ孔をきって固定ボルト１２を通す構成としても良い。
【００２８】
また、頭部分を有さない固定ボルト１２を用いた場合には、本体ケース４の背面から固定ボルト１２を取り付けることが可能となり、さらに化粧パネル１７、遮蔽板１８を外すことなく固定ボルト１２の突出長さを調整することが可能という効果を有することになる。
【産業上の利用可能性】
【００２９】
以上のごとく本発明の冷却装置は、前面に第１環境用の第１吸気口と第１吐出口を設け、背面に第２環境用の第２吸気口および第２吐出口を設けた本体ケースと、この本体ケース内に設けられた第１環境用送風装置および第２環境用送風装置と、前記本体ケース内において第１環境の空気と第２環境の空気との熱交換を行う熱交換器とを備え、前記本体ケース内側から貫通した複数の固定固定ボルトを前記本体ケースの背面に突出させ、取付壁面に設けたボルト貫通孔に前記固定ボルトを貫通して壁面に固定するものであり、既設の壁面等に容易に取り付けられるので、冷却装置だけでなく、空気調和装置、制御盤などの壁面取り付けについても利用できる。
【符号の説明】
【００３０】
１    基地局
２    キャビネット
３    冷却装置
４    本体ケース
５    外気吸気口
６    外気吐出口
７    内気吸気口
８    内気吐出口
９    外気送風機
１０  内気送風機
１１  熱交換器
１２  固定ボルト
１３  ボルト貫通孔
１４  吸気口用開口
１５  吐出口用開口
１６  ナット
１７  化粧パネル
１８  遮蔽板
【図１】
2012023115.tif 000003
【図２】
2012023115.tif 000004
【図３】
2012023115.tif 000005
【図４】
2012023115.tif 000006